(57)【要約】      （修正有）【課題】高さの調節のみならず、平面上の位置について簡便かつ任意に変えられる遊技場用椅子の肘掛け装置を提供する。【解決手段】肘掛け装置は、肘掛台１０を支持腕２０の上端に備え、基端部を座受体に回動可能に取り付けている。支持腕２０は、上面に肘掛台１０を取付けた支柱カバー２４を支柱２１の上端部にスライド可能に外嵌している。そして、支柱カバー２４内に支柱２１の上端部に形成した複数の係止溝２１ａに係脱し得る係止金具２６を設けて、肘掛台１０の高さを調整可能としている。また、肘掛台１０は、底部に長手方向の長孔を形成しており、支柱カバー２４に長孔を貫通させた支軸で回動可能に取付けている。また、肘掛台１０は、後方へ自動復帰させるための戻しバネ１５を内装している。【選択図】図２
0003164965.tif 000002
【実用新案登録請求の範囲】
【請求項１】
上面に肘掛台が取付けられた支柱カバーを支柱の上端部にスライド可能に外嵌するとともに、該支柱の基端部を座受体に回動可能に取り付け、該支柱カバー内に該支柱の上端部に形成した複数の係止溝に係脱し得る係止金具を設けて、肘掛台の高さを調整可能とした遊技場用椅子の肘掛け装置において、該肘掛台は、底部に長手方向の長孔を形成し、支柱カバーに該長孔を貫通させた支軸で回動可能に取付けるとともに、該肘掛台を後方へ自動復帰させるための戻しバネを内装したことを特徴とする遊技場用椅子の肘掛け装置。
【請求項２】
前記肘掛台は、前記長孔の上に支軸が貫通する摺動部材を備え、前記戻しバネは、一端を該摺動部材に係止させ、他端を肘掛台の前部中央に係止させたことを特徴とする請求項１に記載の遊技場用椅子の肘掛け装置。
【請求項３】
前記肘掛台の移動範囲を制限するため、前記肘掛台底部の長孔に遊嵌する凸部を前記支柱カバーの上端に固設した肘掛台受の上面に設けたことを特徴とする請求項１または請求項２に記載の遊技場用椅子の肘掛け装置。
【考案の詳細な説明】
【技術分野】
【０００１】
本考案は遊技場用椅子の肘掛け装置に関するものである。
【背景技術】
【０００２】
遊技場では隣りとの間隔が狭く、離着席を容易にするためコンパクトな椅子が使用されている。ところで、電動式パチンコ機においては、長時間右手でパチンコ台のハンドルを握ったままの状態を維持することとなるので、右腕が疲れるという問題がある。
そこで、離着席時に邪魔にならないように格納できるようにした肘掛け装置が開発されている（例えば、特許文献１、２参照）。
【０００３】
特許文献１のパチンコ用椅子の肘掛け装置は、上端に肘掛体を固設した略Ｌ字状のアームを座部の下部に回動可能に設けたものである。
また、特許文献２の肘掛け装置は、着座していないときは格納できるとともに、遊技者の体格に合わせて肘掛体の高さを調節可能としたものである。すなわち、上端に肘掛体を固設したアームを座板の下部に前後に傾動可能に取付けるとともに、アームの上端部に複数の係合孔を形成し、この係合孔に係脱し得る係合金具を備えた肘掛体をアームに沿ってスライド可能に装着している。
【先行技術文献】
【特許文献】
【０００４】
【特許文献１】実開平６−６４５５３号公報
【特許文献２】特開平１０−３２７９８１号公報
【考案の概要】
【考案が解決しようとする課題】
【０００５】
ところで、遊技場用椅子は、その遊技場内では同じものが使用されており、さまざまな体格の不特定多数の人が利用している。肘掛台の適正な位置は、遊技者の体格によって異なることは当然であるが、同じ遊技者であっても、長時間同じ姿勢で着座していることは苦痛なので、着座姿勢を変えることがあり、これに伴って肘掛台の位置も変えなければならないこともある。特許文献２の肘掛け装置のように、肘掛台の高さを変えるだけではその遊技者にとって最適な肘掛台とは言えないという問題があった。
【０００６】
そこで、本考案は、高さの調節のみならず、平面上の位置について簡便かつ任意に変えられる遊技場用椅子の肘掛け装置を提供することを目的としている。
【課題を解決するための手段】
【０００７】
上記の目的を解決するため、本考案の遊技場用椅子の肘掛け装置は、次のように構成した。すなわち、上面に肘掛台が取付けられた支柱カバーを支柱の上端部にスライド可能に外嵌するとともに、該支柱の基端部を座受体に回動可能に取り付け、該支柱カバー内に該支柱の上端部に形成した複数の係止溝に係脱し得る係止金具を設けて、肘掛台の高さを調整可能とした遊技場用椅子の肘掛け装置において、該肘掛台は、底部に長手方向の長孔を形成し、支柱カバーに該長孔を貫通させた支軸で回動可能に取付けるとともに、該肘掛台を後方へ自動復帰させるための戻しバネを内装したことを特徴としている。
【０００８】
この肘掛け装置は、肘掛台を適宜の高さに調節して固定するが、平面位置は、一定の範囲において自由に移動可能としたものである。
支柱は、座受けに回動可能に取付けられ、使用位置と格納位置において保持されるように構成する。この保持の構成については、特に限定しない。
肘掛台の高さの調節手段は、支柱の上端部に複数の係止溝を形成し、支柱にスライド可能に外嵌した支柱カバーに手動で係脱できる係止金具を設けたものでよい。
【０００９】
肘掛台は、支柱カバーに支軸で回動可能に取付ける。そして、肘掛台の底部に支軸を貫通させた長手方向の長孔を設ける。
肘掛台の平面上の移動は、長孔が露出しないように、一定の範囲に制限するとよい。この手段は、請求項３に記載のように、支柱カバーの上端に肘掛台受を固設し、該肘掛受台の上端に肘掛台底部の長孔に遊嵌する凸部を設けるのが望ましい。
【００１０】
肘掛台には、使用していないときには、後方へ自動復帰させるための戻しバネを設ける。この手段は、請求項２に記載のように、肘掛台の長孔の上に支軸が貫通する摺動部材を設け、戻しバネの一端を該摺動部材に係止させ、他端を肘掛台の前部中央に係止させるとよい。
【考案の効果】
【００１１】
本考案の遊技場用椅子の肘掛け装置は、肘掛台の底部に長手方向の長孔を形成し、支柱カバーに該長孔を貫通させた支軸で回動可能に取付けるとともに、該肘掛台を後方へ自動復帰させるための戻しバネを内装したので、遊技者が高さを一定に調節した後は肘掛台を自由に適宜な位置に移動できる。また、離席するときなど遊技台から手を戻したときは、自動的に肘掛台が長孔の後端位置に復帰する。
【００１２】
また、請求項２に記載のように、肘掛台に支軸が貫通する摺動部材を備えて、戻しバネを係止させれば、簡便で、故障の少ない装置にできる。
また、請求項３に記載のように、前記支柱カバーの上端に肘掛受台を固設し、その上面に肘掛台底部の長孔に遊嵌する凸部を固設して、肘掛台の平面移動を簡便確実に制限することができる。
【図面の簡単な説明】
【００１３】
【図１】本考案の遊技場用椅子の肘掛け装置の実施の形態を示す斜視図である。
【図２】同、肘掛け装置の縦断面図である。
【図３】同、支持腕２０の分解斜視図である。
【図４】同、肘掛台１０の分解斜視図である。
【図５】同、（ａ）は、肘掛台枠１２の平面図、（ｂ）は、肘掛台受３０の平面図である。
【図６】同、肘掛台１０の移動範囲を示す平面説明図である。
【考案を実施するための形態】
【００１４】
本考案の遊技場用椅子の肘掛け装置の実施の形態を図面に基づいて説明する。
図１は、遊技場用椅子の全体を示す側面図であり、右肘を載せるための肘掛台１０を支持腕２０の上端に備えた肘掛け装置が設けられている。
なお、図１において、３は、脚、４は、伸縮軸、５は、背もたれである。
肘掛け装置は、その縦断面を図２に示しているが、理解を助けるため、支持腕２０の分解斜視図（図３）と、肘掛台１０の分解斜視図（図４）を参照しながら説明する。
【００１５】
支持腕２０は、楕円状に形成した管をＬ字状に曲げた支柱２１と、支柱２１の上端側に外嵌され、上端に肘プレート２９を介して肘掛受台３０が取付けられた支柱カバー２４と、レバー２５とから概略構成されている。
支柱２１は、その基端部が座受２に軸受で回動可能に取付けられており、図１で実線で示す使用位置と一点鎖線で示す格納位置において軸受に取付けた弾性体２３によって保持されるようにしている。この弾性体２３は、ここでは変形量が大きい、微細セル発泡ウレタンエラストマーを使用しており、使用位置と格納位置において楕円状になるように組み込まれている。
【００１６】
支柱２１の上端には、レバー２５が挿嵌されており、レバー２５の上端部は支柱カバー２４にピン２８で回動可能に取付けられている。そして、支柱２１の上端側には、複数個（ここでは６個）の係止部２１ｂを有する係止溝２１ａが形成されており、レバー２５の下端部には該係止溝２１ａに係合する係止金具２６が設けられている。また、レバー２５の前部には支柱カバー２４に設けられた押しボタン２４ａに連接される押片２５ａが設けられている。
【００１７】
このように構成されているので、押しボタン２４ａを押すことにより、レバー２５の押片２５ａが押され、ピン２８を支点として後方へ（反時計回り）回動し、係止金具２６が係止溝２１ａの縦に連通した溝へ移動する。この状態（押しボタン２４ａを押したまま）では、支柱カバー２４を持って縦方向に移動させることができる。そして、押しボタン２４ａを離せば、戻しバネ２７によって、レバー２５が前方へ復帰し、係止金具２６がその高さにおける係止部２１ｂに係止される。なお、図中２２は、スペーサである。
【００１８】
肘掛台１０は、肘掛枠１２の上面に肘パッド１１が取付けられたものであり、支柱２１の上端の肘掛受台３０の上に、取付けられている。
肘掛枠１２の底面には長孔１２ａが形成されており、肘掛受台３０の上面には楕円状の凸部３０ｂが形成されている。凸部３０ｂは長孔１２ａより面積が小さく遊嵌している。そして、長孔１２ａの上面には摺動部材１３が設けられ、支軸１４で肘掛受台３０に取付けられている。すなわち、支軸１４は、摺動部材１３の軸孔１３ａ、肘掛枠１２の長孔１２ａ、および肘掛受台３０の軸孔３０ａを貫通させて取付けられている。なお、１７は座金である。
摺動部材１３の前端部には、ピン１６が取付けられ、肘掛枠１２の前部に設けられたバネ受け１２ｂに一端が係止された戻しバネ１５が連結されている。
【００１９】
肘掛台１０は、このように、構成されているので、肘掛受台３０に対して、一定範囲において前後方向および左右に回動可能である。この一定範囲は、肘掛枠１２の長孔１２ａが有する肘掛受台３０の凸部３０ｂとの遊嵌の範囲である。具体的には、図６に示すように、２点鎖線で示される範囲で、肘パッド１１は、移動可能である。
肘パッド１１を使用していないときは、戻しバネ１５によって実線で示す最後部で水平方向に位置する。なお、戻しバネ１５は、復帰ができればよい程度の弱いバネ力のものを使用している。
【００２０】
次に、このように構成された遊技場用椅子の肘掛け装置の作用について説明する。
肘掛け装置は、使用していないときは、通常、図１に一点鎖線で示すように、背もたれ側へ格納されている。なお、このとき、肘掛台１０は戻しバネ１５によって後端に位置している。
遊技者が、肘掛け装置を使用するときは、まず、肘掛け装置を前方へ回動させる。肘掛け装置は、使用位置まで回動すると弾性体２３が楕円状になってロックされた状態となり、支持腕２０はその姿勢で保持される。
【００２１】
次に、肘掛台１０を遊技者にとって最適な高さに調節する。この操作は、押しボタン２４ａを押して、支柱カバー２４を上または下へスライドさせ、適宜な位置のところで押しボタン２４ａを離すのみでよい。この操作によって、係止金具２６が当初の係止部２１ｂの位置から、その遊技者の最適な高さの位置に変更される。
遊技者は、肘の支持させたい部分を肘パッド１１に載せて前方へ押しパチンコ機のハンドルを掴んでプレイする。
【００２２】
遊技者は、疲れたりして姿勢を変えることが少なくないが、それに伴って肘を動かせば、肘掛台１０の位置も自由に追従するので、平面上の位置における調整のための操作は必要としない。肘を肘掛台１０から離したときは、肘掛台１０は自動的に戻しバネ１５によって後端へ復帰する。なお、肘掛け装置の使用位置における肘掛台１０の高さの調節および前後方向の移動は、ここでは、図１において一点鎖線で示す範囲としている。
【符号の説明】
【００２３】
１  シート
２  座受
３  脚
４  伸縮軸
５  背もたれ
１０  肘掛台
１１  肘パッド
１２  肘掛台枠
１２ａ  長孔
１２ｂ  バネ受け
１３  摺動部材
１３ａ  軸孔
１４  支軸
１５  戻しバネ
１６  ピン
１７  座金
２０  支持腕
２１  支柱
２１ａ  係止溝
２２  スペーサ
２３  弾性体
２４  支柱カバー
２４ａ  押しボタン
２５  レバー
２５ａ  押片
２６  係止金具
２７  戻しバネ
２８  ピン
２９  肘プレート
３０  肘掛台受
３０ａ  軸孔
３０ｂ  凸部
【図１】
0003164965.tif 000003
【図２】
0003164965.tif 000004
【図３】
0003164965.tif 000005
【図４】
0003164965.tif 000006
【図５】
0003164965.tif 000007
【図６】
0003164965.tif 000008